(57)【特許請求の範囲】
【請求項１】
パチンコ機の上部に配置されたスピーカの背面側に設けられ、賞球として払い出される遊技球を貯留する球貯留タンクであって、
左右に延びた略長方形の底板と、
前記底板の左右どちらか一方の端に設けられ、前記遊技球が排出される排出口と、
前記底板の周囲に立設された側板と、を備え、
前記側板は、前記底板の一方の長辺から立設され、一部がスピーカの背面に位置するように設けられた後側板と、前記底板の他方の長辺から立設され、前記後側板と対向して設けられた前側板と、前記底板の一方の短辺から立設され、前記後側板と前記前側板とを接続する左側板と、前記底板の他方の短辺から立設され、前記後側板と前記前側板とを接続する右側板とから形成され、
前記底板は、他方の端から前記排出口に向かって下り傾斜に形成された第一斜面と、前記後側板の前記スピーカの背面に位置している部分の所定の高さから前記排出口に向かって下り傾斜に形成された第二斜面と、前記後側板の前記スピーカの背面に位置している部分以外の部分において、前記所定の高さよりも低い高さから前記排出口に向かって下り傾斜に形成された第三斜面とから形成され、
前記第二斜面が前記第三斜面よりも急峻になるように、かつ前記第三斜面が前記第一斜面よりも急峻となるように形成されたことを特徴とする球貯留タンク。
【請求項２】
前記底板は、前記第二斜面と前記第三斜面との間に第四斜面を備え、前記第四斜面は、第二斜面から第三斜面に向かって、遊技球が転動するように傾斜して形成されたことを特徴とする請求項１記載の球貯留タンク。
【請求項３】
前記排出口は、前記前側板に近接して配置されたことを特徴とする請求項１又は２記載の球貯留タンク。
【発明の詳細な説明】
【技術分野】
【０００１】
本発明は、パチンコ機に設けられ、賞球として払い出される遊技球を貯留する球貯留タンクに関する。
【０００２】
遊技場で使用されるパチンコ機は、遊技盤に形成された遊技領域に通常入賞口や始動入賞口等の各種入賞口が設けられ、遊技領域を流下した遊技球がこれらの入賞口に入賞すると所定数の遊技球が賞球として払い出される。賞球として払い出される遊技球は、パチンコ機の裏面上方に設けられている球貯留タンクに貯留され、球貯留タンクの底板に設けられた排出口から排出される。またパチンコ機には、遊技の演出効果を高めるために効果音を発生させるスピーカが設けられており、前記入賞時など予め定められた条件が成立したときにファンファーレ音のような大音響を出して効果的な遊技の演出を行っている。
【０００３】
パチンコ機の中にはスピーカが前面上方に設けられたものがあり、しかも左右に２つある場合は、どちらかのスピーカの背面が球貯留タンクに近接して配置されることになる。スピーカの後方側には磁石が組込まれており、球貯留タンク内の遊技球の一部が磁石の影響を受けて、球貯留タンクの側壁に貼り付いたり、複数の遊技球が磁化してくっつき合ったりして、遊技球の移動に不具合が生じることがある。この問題を解決するには、スピーカと貯留タンクの距離を十分に確保して球貯留タンク内の遊技球が磁石の影響を受けないようにすることが一番良い方法であるが、パチンコ機のレイアウト及び全体の大きさを考慮すると、近接して配置せざるを得ない。そこで、スピーカの磁石を防磁シートで覆って、磁石の磁力が球貯留タンク内の遊技球に及ばないようにした防磁シート付きスピーカが下記特許文献１に記載されている。
【特許文献１】実用新案登録第３０５５２３９号公報
【発明の開示】
【発明が解決しようとする課題】
【０００４】
しかしながら、特許文献１に記載された防磁シート付きスピーカを採用するとパチンコ機のコストがアップしてしまう。また、防磁シート付きスピーカを使用せずに、球貯留タンクをスピーカの磁石の影響を受けない大きさまで小さくしたり、あるいは、磁石の影響を受ける部分の側板を内側に凹ませて磁石から離したり、別の板で囲んで遊技球が磁石の近くに貯留されないようにする方法が考えられるが、いずれの場合も貯留スペースが大きく減少し、球貯留タンクに貯留できる遊技球の数が少な過ぎて別の問題が生じてしまう。
【０００５】
本発明は、上記問題点を解決するためになされたものであり、その目的とするところは、球貯留タンクに貯留できる遊技球の量を確保するとともに、球貯留タンクに貯留された遊技球が球貯留タンクに近接して配置されたスピーカの磁石の影響を受けないようにした球貯留タンクを、コストアップなしに提供することにある。
【課題を解決するための手段】
【０００６】
本発明による球貯留タンクは、パチンコ機の上部に配置されたスピーカの背面側に設けられ、賞球として払い出される遊技球を貯留する球貯留タンクであって、左右に延びた略長方形の底板と、前記底板の左右どちらか一方の端に設けられ、前記遊技球が排出される排出口と、前記底板の周囲に立設された側板とを備え、前記側板は、前記底板の一方の長辺から立設され、一部がスピーカの背面に位置するように設けられた後側板と、前記底板の他方の長辺から立設され、前記後側板と対向して設けられた前側板と、前記底板の一方の短辺から立設され、前記後側板と前記前側板とを接続する左側板と、前記底板の他方の短辺から立設され、前記後側板と前記前側板とを接続する右側板とから形成され、前記底板は、他方の端から前記排出口に向かって下り傾斜に形成された第一斜面と、前記後側板の前記スピーカの背面に位置している部分の所定の高さから前記排出口に向かって下り傾斜に形成された第二斜面と、前記後側板の前記スピーカの背面に位置している部分以外の部分において、前記所定の高さよりも低い高さから前記排出口に向かって下り傾斜に形成された第三斜面とから形成され、前記第二斜面が前記第三斜面よりも急峻になるように、かつ前記第三斜面が前記第一斜面よりも急峻となるように形成されたことを特徴とする。
【０００７】
前記底板は、前記第二斜面と前記第三斜面との間に第四斜面を備え、前記第四斜面は、第二斜面から第三斜面に向かって、遊技球が転動するように傾斜して形成されるようにすると良い。前記排出口は、前記前側板に近接して配置されるようにすると良い。
【発明の効果】
【０００８】
本発明による球貯留タンクは、防磁対策が施されていないスピーカに近接して配置しても、遊技球がスピーカの磁石の影響を受けて流通に支障をきたすことがなく、防磁シート付きスピーカを採用する必要がないのでコストアップしない。また、球貯留タンクをスピーカの磁石の影響を受けない大きさまで小さくする、あるいは磁石の影響を受ける部分の側板を内側に凹ませて磁石から離したり、別の板で囲んで遊技球が磁石の近くに貯留されないようにしたりする必要がないので、遊技球の貯留量が少なくならない、などの特徴的効果があり、球貯留タンクに貯留できる遊技球の量を少なくすることなく、球貯留タンクに貯留された遊技球が球貯留タンクに近接して配置されたスピーカの磁石の影響を受けないようにした球貯留タンクを、コストアップなしに提供することができる。
【０００９】
また、前記球貯留タンクは矩形状の箱形状であって、前記スピーカの背面は前記底板の長辺を含む側板の一部と近接し、前記第一斜面は前記底板の長手方向に傾斜し、前記第二斜面は前記底板の長手方向と直交する方向に傾斜しているから、第二斜面上に蓄積された遊技球は、斜面上を磁石の影響が少なくなる方向へ転動することになる。
【００１０】
また、前記第一斜面と前記第二斜面とが第三斜面で連絡され、前記第三斜面の傾斜は前記第一斜面より急傾斜で前記第二斜面より緩い傾斜としたから、第一斜面から第二斜面へ遊技球が流れることはなく、球貯留タンクの容量を確保しつつ、貯留された遊技球を効率よく排出口へ導くことが可能になる。
【発明を実施するための最良の形態】
【００１１】
本発明の一形態であるパチンコ機の構成を図１ないし図５に基づいて説明する。パチンコ機（弾球遊技機）１は、基体となる本体基部２の前面に上扉３と下扉４とからなる前面扉５が開閉自在に取り付けられている。また、本体基部２の裏面側には、球貯留タンク６が設けられている。上部扉には、中央に開口７が設けられており、その奥側に設けられている遊技盤８の盤面が視認できるようになっている。上扉３の裏面には、ガラス等の透明な部材からなるガラス扉９が上扉３に対して開閉自在に取り付けられている。通常は、ガラス扉９は上扉３に閉じられており、開口７がガラス扉９によって覆われた状態になっている。また、上扉３の上方にはスピーカカバー１０が配設されている。スピーカカバー１０の奥側には、後述するスピーカ１５が本体基部２に取り付けられている。スピーカ１５は、その背面が球貯留タンク６の側板の一部と近接するように取り付けられている。下扉４は、遊技者が遊技開始時に投入するパチンコ球（遊技球）１１等を貯留する受け皿１２、及び図示しない発射装置の打ち出し強さを調節する操作ハンドル１３を備えている。また、下扉４は、賞球等を受け皿１２に払い出す払出し口１４を備えている。
【００１２】
図２に示すように、球貯留タンク６は、本体基部２の上部に設けられている。また、球貯留タンク６は、側壁の一部がスピーカ１５の背面と近接するように取り付けられている。図３〜図５に示すように、球貯留タンク６は、上面が開口した矩形状の箱形状をしており、底板１６と、底板１６を取り囲む後側板１７、右側板１８、前側板１９、左側板２０とから構成されている。底板１６は、排出口２１、第一斜面２２、第二斜面２３及び第三斜面２４を備えている。第二斜面２３と第三斜面２４の間には両者を接続する第四斜面２５が設けられ、第四斜面２５は、第二斜面２３から第三斜面２４に向かって、遊技球が転動するように傾斜して形成されている。排出口２１は、球貯留タンク６の下方に設けられた球払出し通路にパチンコ球１１を排出する開口であり、パチンコ機１を裏面側から見た場合に、底板１６の左側に位置するように設けられている。この排出口２１は矩形状をしており、複数個のパチンコ球１１が排出できるように形成されている。
【００１３】
第一斜面２２は、右側板１８から排出口２１に向けて、底板１６の長手方向に傾斜するように形成されている。第一斜面２２は、底板１６の長手方向には角度αで右側板１８から排出口２１へ向けて下り傾斜し、長手方向と直交する方向（以下、奥行き方向という。）には水平になるように形成されている。第二斜面２３は、後側板１７の一部から排出口２１に向けて奥行き方向に傾斜するように形成されている。第二斜面２３は、後側板１７から排出口２１へ向けて底板１６の奥行き方向には角度βで下り傾斜し、底板１６の長手方向には水平になるように形成されている。また、第三斜面２４は、後側板１７の一部から第一斜面２２に向けて奥行き方向に傾斜しており、第一斜面２２及び第二斜面２３と連なるように形成されている。第三斜面２４は、後側板１７から第一斜面２２に向けて底板１６の奥行き方向には角度γで下り傾斜し、底板１６の長手方向には水平になるように形成されている。ここで、球貯留タンク６は、第一斜面２２、第二斜面２３及び第三斜面２４の角度がそれぞれα＜γ＜βの関係になるように形成されている。球貯留タンク６に貯留されているパチンコ球１１は、第一斜面２２にあるパチンコ球１１はＡ方向に、第二斜面２３にあるパチンコ球１１はＢ方向に、そして第三斜面２４にあるパチンコ球１１はＣ方向に転動する。
【００１４】
本実施形態の球貯留タンク６の作用について説明する。パチンコ店においては、パチンコ店に設けられている供給装置からパチンコ球１１の供給を受けており、球貯留タンク６にはパチンコ球１１が貯留されている。このとき、スピーカ１５の背面と近接する後側板１７は第二斜面２３と接するように形成されているので、パチンコ球１１をスピーカ１５の背面に設けられている磁石１５ａから引き離すことができる。したがって、スピーカ１５と近接する場所でパチンコ球１１が磁石１５ａの影響を受けて、例えばパチンコ球１１が後側板１７にくっついたり、パチンコ球１１同士がくっついて、パチンコ球１１の排出に影響を及ぼすような不具合を解消することができ、スムーズにパチンコ球１１を排出口２１から排出させることができる。
【００１５】
また、底板１６のうち、右側板１８や前側板１９と接する箇所のように、スピーカ１５から離れている場所ではパチンコ球１１が磁石１５ａの影響を受けることが少なく、上述したような不具合を引き起こすこともない。このような場所は、傾斜角度の少ない第一斜面２２を形成することによっても、パチンコ球１１を排出口２１へ向けてスムーズに転動させることができる。また、このように磁石１５ａの影響を受けにくい場所の斜面の傾斜角度を少なくすることによって、球貯留タンク６の容量を確保することができ、大量のパチンコ球１１を球貯留タンク６に貯留させることができる。
【００１６】
さらに、後側板１７に面している箇所に第三斜面２４を設けることにより、パチンコ球１１を底板１６の長手方向と直交する方向、すなわち、スピーカ１５から離れる方向へパチンコ球１１を転動させることができる。また、第三斜面２４の角度γは第一斜面２２の角度αより大きくなり、かつ第二斜面２３の角度βより小さくなるように形成しているので、パチンコ球１１が磁石１５ａの影響を受けることを回避しつつ、かつ球貯留タンク６の容量を確保することができる。
【００１７】
以上のように、本発明の球貯留タンクによれば、スピーカに設けられた磁石の影響を回避することによって、貯留されたパチンコ球をスムーズに排出口から排出させることができる。また、パチンコ店の供給装置から供給される大量のパチンコ球を貯留するように球貯留タンクの容量を確保することが可能になる。
【図面の簡単な説明】
【００１８】
【図１】本形態の一形態であるパチンコ機を表した外観斜視図である。
【図２】パチンコ機の背面側に配設された貯留タンク周りの構成を表した斜視図である。
【図３】貯留タンクの内部構造を表した説明図である。
【図４】貯留タンクの長手方向における第１斜面の傾斜角度を表した説明図である。
【図５】貯留タンクの長手方向と直交する方向における第２斜面及び第３斜面の傾斜角度を表した説明図である。
【符号の説明】
【００１９】
１  パチンコ機（弾球遊技機）
６  球貯留タンク
１１  パチンコ球（遊技球）
１５  スピーカ
１６  底板
１７ 後側板
１８ 右側板
１９ 前側板
２０ 左側板
２１  排出口
２２  第一斜面
２３  第二斜面
２４  第三斜面
【図１】
0004347834.tif 000002
【図２】
0004347834.tif 000003
【図３】
0004347834.tif 000004
【図４】
0004347834.tif 000005
【図５】
0004347834.tif 000006